(57)【特許請求の範囲】
【請求項１】
移動無線ネットワークＧＳＭに属する複数の移動端末（MS）だけがアクセス可能なパケットデータネットワーク(CSN)に接続されたサーバコンピュータ(S1-S3)のアプリケーション（AP1）を用いて、商品（通信サービスを除く）の販売の申し出がなされる電子的商取引で、前記移動無線ネットワークＧＳＭには、前記移動無線ネットワークＧＳＭで移動端末（MS）を識別する識別情報に関連付けられた加入者情報を有する加入者データベース（HLR、CSR、SBR、ACR）が設置されており、該電子的商取引において買い手（SBS）の識別を行う方法であって、
買い手（SBS）により、前記移動無線ネットワークＧＳＭへの前記加入者情報の登録に対応して取得した認証コードが第１の端末（MS）に入力されると、前記複数の端末のうち前記第１の端末（MS）が前記買い手（SBS）の加入者名で起動して、位置登録のために前記移動無線ネットワークＧＳＭへ信号伝達すると共に、前記移動無線ネットワークＧＳＭで前記第１の端末を識別するための第１の識別情報を暗号化されたフォームで前記移動無線ネットワークＧＳＭへ送信し、
前記第１の識別信号により前記第１の端末が加入者であると識別した場合に、前記移動無線ネットワークＧＳＭが前記第１の識別情報に関連付けて割り当てた、前記パケットデータネットワーク(CSN)で前記第１の端末を識別する第２の識別情報を前記買い手（SBS）の要求入力に基づいて前記第１の端末から前記アプリケーション（AP1）に与えると、前記第１の端末（MS）と前記アプリケーション（AP1）との間でセッションを接続し、
前記アプリケーション（AP1）から販売の申し出がなされていた商品の購入について前記買い手（SBS）の同意入力がなされると、該商品について前記買い手に課金するための情報を得るべく、前記第２の識別情報についてのステイトメントを伴った前記アプリケーション（AP1）の命令により、前記加入者データベース（HLR、CSR、SBR、ACR）から前記第２の識別情報に対応する前記第１の識別情報に関連付けられた加入者情報を読み出し、
前記商品について前記買い手（SBS）に課金すべく、前記読み出された加入者情報が示す加入者を前記買い手（SBS）として識別することを特徴とする方法。
【請求項２】
前記アプリケーション（AP1）は、前記第２の識別情報と前記商品に関する情報とが含まれた課金エントリー（CDR）を、課金データベース（BGW）に送信することによって、前記読み出すための命令を発し、
前記課金データベース（BGW）は、前記移動無線ネットワークＧＳＭのオペレータ（運営者）が、前記買い手（SBS）に対し課金し、売り手に対し前記商品の代金を支払うべく、前記課金エントリー（CDR）を登録することを特徴とする請求項１に記載の方法。
【請求項３】
第１のクレジットカード番号が前記データベース(HLR、CSR、SBR、ACR)に事前に登録されており、前記買い手（SBS）により第２のクレジットカード番号が前記アプリケーション（AP1）に与えられると、前記アプリケーションの要求に応じ、前記第１の識別情報に関連する前記第１のクレジットカード番号を前記加入者データベース（HLR、CSR、SBR、ACR）から読み出し、
前記第１のクレジットカード番号と前記第２のクレジットカード番号とが一致すると、前記購入を実行することを特徴とする請求項１に記載の方法。
【請求項４】
前記第１の端末（MS）にはWWWブラウザが搭載されており、前記端末（MS)と前記アプリケーション（AP1)との間の情報はインターネットプロトコルに基づいて変換されることを特徴とする請求項１乃至請求項３のいずれか１項に記載された方法。
【請求項５】
前記買い手（SBS）の指示により、前記データベース（HLR）を介して前記アプリケーション（AP1）にUSSDメッセージを送信することによって、前記セッションの接続を要求することを特徴とする請求項１乃至請求項３のいずれか１項に記載された方法。
【請求項６】
前記加入者データベース（HLR、CSR、SBR、ACR）は、購入の際に前記端末に割り当てられた前記第２の識別情報である一時的なIPアドレスを参照することで、IMSIまたはMSISDNという形式で前記移動端末の第１の識別情報が取り出されるアクセスデータベース（ACR）と、前記IMSIまたはMSISDNで参照することによって前記買い手の名前と住所についての情報が取り出される加入者情報データベースとに分割されることを特徴とする請求項１に記載された方法。
【請求項７】
前記第１の識別情報は、IMSI、MSISDNまたはTMSI(Temporary Mobile Subscriber identity)であり、前記第２の識別情報は、一時的なIPアドレスまたは固定IPアドレスであることを特徴とする請求項１に記載された方法。
【請求項８】
移動無線ネットワークＧＳＭのオペレータ（運営者）の制御下にあるパケットデータネットワーク（CSN）と、前記パケットデータネットワーク（CSN）に接続された少なくとも１つのサーバコンピュータ（S1-S3）と、前記サーバコンピュータに備えられ、商品（通信サービスを除く）の販売の申し出を行う少なくとも１つの販売サービス用のアプリケーション（AP1-AP3）とを含む電子的商取引のためのシステムであって、
各加入者 (SBS)に所有される移動端末(MS)であって、移動無線ネットワークＧＳＭへの加入者情報の登録に対応して取得した認証コードを含む加入者を識別するための識別モジュールを備え、起動のために前記加入者に対し該認証コードを要求する少なくとも１つの移動端末(MS)と、暗号化された手法で、起動された前記端末(MS)の識別モジュールから受信した第１の識別情報が前記移動無線ネットワークＧＳＭの加入者のものであるか否かを検査する手段と、前記第１の識別情報に関連付けられた加入者情報を含むデータベース（SBR、SCR、ACR）とを含み、前記オペレータによって制御され、前記パケットデータネットワーク（CSN）に接続された移動無線ネットワークＧＳＭと、
前記第１の識別信号により前記端末が加入者であると識別した場合に、前記移動無線ネットワークＧＳＭが前記第１の識別情報に関連付けて割り当てた、前記パケットデータネットワーク(CSN)で前記端末(MS)を識別する第２の識別情報を前記加入者（SBS）からの要求入力に応じて前記端末から前記アプリケーション（AP1-AP3）に与えて、商品の購入を実行するために前記端末(MS)と前記アプリケーション（AP1-AP3）との間でセッションを設定する手段と、
前記アプリケーション（AP1-AP3）から販売の申し出がなされていた商品の購入について前記買い手（SBS）の同意入力がなされると、前記アプリケーション（AP1-AP3）からの前記第２の識別情報を有する要求に応じて、前記第２の識別情報に対応する前記第１の識別情報に基づいて前記データベース（SBR、SCR、ACR）から前記移動無線ネットワークＧＳＭへの加入者情報を読み出し、該読み出した加入者情報に基づいて前記加入者（SBS）に前記商品について課金する手段とを備えることを特徴とするシステム。
【請求項９】
前記課金する手段は、前記パケットデータネットワーク（CSN）に接続され、前記アプリケーション（AP1-AP3）からの命令に応じて、前記加入者（SBS）に対し課金するため前記第２の識別情報及び支払額を伴うエントリーを登録する手段を有する課金データベース（BGW）を含むことを特徴とする請求項８に記載のシステム。
【請求項１０】
前記データベース（SBR、SCR、ACR）は、前記第１の識別情報に対応する第１のクレジットカード番号を有し、
前記移動無線ネットワークＧＳＭは、前記アプリケーション（AP1-AP3）からの前記第２の識別情報を有する問い合わせに応じて、前記第１の識別情報を発する手段と、クレジットカードから第２のクレジットカード番号を読み出す手段と、前記第１のクレジットカード番号と第２のクレジットカード番号間の同一性に依存する回答を送信する手段とをさらに備えることを特徴とする請求項８に記載のシステム。
【請求項１１】
前記移動無線ネットワークＧＳＭは、ルータ（R2）を経て前記パケットデータネットワーク（CSN）と接続し、
前記端末と前記アプリケーションとの間で情報を転送するためのIPプロトコルと、前記アプリケーション（AP1-AP3)への情報を入力し、前記アプリケーション（AP1-AP3)からの情報を出力するためのWWWブラウザとが、前記端末に装備されることを特徴とする請求項８乃至請求項１０のいずれか１項に記載されたシステム。
【請求項１２】
前記移動無線ネットワークＧＳＭは、USSDゲートウェイ（USSD GW）を介して前記パケットデータネットワーク（CSN）と接続し、
前記アプリケーション（AP1-AP3）と前記端末（MS）との間の情報を、USSDのサービスによって転送することを特徴とする請求項８乃至請求項１０のいずれか１項に記載されたシステム。
【請求項１３】
前記認証コードは、前記端末（MS）のSIMカードにより認証されるPINコードであることを特徴とする請求項８乃至請求項１０のいずれか１項に記載されたシステム。
【発明の詳細な説明】
【０００１】
（技術分野）
本願発明は、データネットワークを介して行う電子商取引の方法及びシステム、並びにデータネットワークを経て接続されたデータベースに売買（商品）が登録されたことをチェックする方法に関する。とりわけ、本方法及びシステムは、移動無線ネットワークとのコネクションを有するデータネットワークに関連する。
【０００２】
（最先端の技術）
電子商取引は、データネットワークを介して複数のパーティー間で実行される経済上の取引のことであるが、この電子商取引においては、取引を実行する者の識別情報（身元）を確保できるようにすることが重要である。
【０００３】
国際公開公報ＷＯ９４／１１８４９では、電話を用いて、例えば、銀行サービスなどの提供を希望するユーザが、当該サービスにアクセスするためのコードを入力しなければならないといった課題に取り組んでいる。この課題の解決策は、移動局のユーザが、コードを入力せずに、銀行サービスを利用できるようにすることである。この解決策には、内部の電話ネットワークから接続可能なアプリケーションによって実現される銀行サービスが含まれる。内部の電話ネットワークへの接続は、ＧＳＭネットワークに含まれる移動局を用いることで可能となる。この移動局を起動させるためには、その加入者がコードを入力することが必要である。銀行サービスとのコネクションをセットアップするには、一定の移動局からＡナンバーを伴う要求を発する。Ａナンバーは、銀行サービスのセットアップの際に利用可能である。銀行サービスにより、Ａナンバーが顧客のものとして登録されているかどうかがチェックされ、登録されていれば、コネクションを通して銀行サービスの利用が許可される。
【０００４】
（発明の説明）
従来知られている技術についての課題は、購入可能な加入者が、購入に同意するのに先立って、売り手との間で（取引）関係を築かなければならないことであった。
【０００５】
従って、本願発明の目的は、移動端末を用いてデータネットワークを介し、購入を可能とすることであり、その際、買い手のアイデンティティ（識別情報）が、移動端末が属する移動無線ネットワークの機能によって保証されうるようにすることである。本願発明は、買い手の移動端末について買い手が移動無線ネットワークに加入登録を有していると、買い手の識別情報を決定できることに基づくものである。
【０００６】
本願発明は、少なくとも１つの移動端末を含む移動無線ネットワークを備えたシステムによって課題を解決する。端末は識別モジュールを含み、起動のためのコードを入力するよう加入者に要求する。端末は、無線を通して、暗号化されたフォームでもって送信される一定の識別情報を備えている。移動無線ネットワークは、端末の識別情報をチェックするための手段と加入者情報を備えたデータベースを備えている。システムは、移動無線ネットワークと接続された内部のパケットデータネットワークをさらに含んでいる。少なくとも１つのサーバコンピュータがパケットデータネットワークと接続している。サーバコンピュータには、販売サービスの１つにつき少なくとも１つのアプリケーションを備えている。パケットデータネットワークは、移動無線ネットワークを制御するオペレータにより制御される。販売サービスは、移動端末専用のパケットデータネットワークを通して利用可能である。データベースでは、アプリケーションの命令によって加入者データが読み出され、買い手が識別され、課金されうる。
【０００７】
本願発明は、サーバコンピュータのアプリケーションによって売り手が販売商品を提供する方法によって、この問題を解決する。買い手は自身の移動端末を用いてアプリケーションと接続する。これは、サーバコンピュータを、端末が属する移動無線ネットワークと接続する内部のパケットデータネットワークによって可能となる。買い手がアプリケーションと接続するときには、アプリケーションは端末の識別情報への回線が開かれる。買い手はアプリケーションを通して購入に同意する。その際、アプリケーションからの命令によって、加入者データは移動無線ネットワークのデータベースから読み出される。加入者データは、買い手を識別するために使用され、買い手への課金を可能にする。データベースから読み出すときに、正しいデータを見つけるべく、移動局の識別情報が与えられる。本願発明は、買い手と売り手が物理的に会って、購入品について合意する時に使用が意図される他の方法によってもこの課題を解決する。売り手に現金を支払う代わりに、買い手は、自身の移動端末からサーバコンピュータのアプリケーションと接続して購入を登録する。これは、端末が属する移動無線ネットワークに、コンピュータの接続された内部のパケットデータネットワークを接続することにより可能となる。アプリケーションは、課金データベースに購入が登録されるよう制御する。購入は、商品と端末識別についての情報を伴うエントリーとして登録される。アプリケーションは、購入に関して登録された情報のいくつかに所定のアルゴリズムを作用させることで、レシートコードを生成できる。レシートコードは端末に送り返され、買い手は売り手にレシートコードを示す。売り手では、アプリケーションと同じ方法によってコードが生成される。もし２つのコードが一致するならば、商品は買い手に配達される。端末識別情報に対応する加入登録を有する買い手の識別情報を発見すべく、課金データベースへのエントリーは、移動無線ネットワークの加入者データとチェックされる。そして、買い手は課金され、売り手に購入代金として支払われる。
【０００８】
第１の方法の１つ目の実施形態によると、課金データベースがシステムに配置され、オペレータによりコントロールされる。買い手が、ある商品をある価格で購入することを要求すると、課金データベースでは、課金エントリーが登録され、商品の価格および移動局の識別情報が記憶される。オペレータは、移動局の識別情報を用いて、買い手を識別して課金するために、データベースから情報を取り出す。オペレータは商品の購入代金を売り手に支払う。
【０００９】
他の実施形態によると、新しい加入者データ、すなわち、加入者／買い手のクレジットカード番号がデータベースに登録される。買い手が購入を申し出るときには、買い手は、自己のクレジットカード番号をアプリケーションに与える。その後、アプリケーションは、買い手から入力与されたクレジットカード番号が、端末識別情報に対応してデータベースに登録されているクレジットカード番号と一致するかをデータベースにチェックするよう要求する。もし買い手から与えられたクレジットカード番号が、端末識別情報とともに登録されているクレジットカード番号と一致しているならば、購入は実行される。そして、買い手は、彼が顧客となっているクレジットカード会社に対して課金される。
【００１０】
実施形態によると、端末とアプリケーションとの間の通信はＩＰプロトコルを通して行われ、端末においてはＷＷＷブラウザが使用され、情報はハイパーテキストリンクという形で転送される。
【００１１】
他の実施形態によると、ＵＳＳＤ（Ｕｎｓｔｒｕｃｔｕｒｅｄ Ｓｕｐｐｌｅｍｅｎｔａｒｙ Ｓｅｒｖｉｃｅ Ｄａｔａ：非制限付加サービス・データ）サービスは、情報転送のためのＧＳＭネットワーク内で使用される。ＧＳＭネットワークは、ＵＳＳＤゲートウェイを経てパケットデータネットワークと接続し、ＵＳＳＤゲートウェイは、パケットデータネットワーク内のプロトコル、例えば、インターネットプロトコルに従って、ＵＳＳＤパケットに含まれる情報をパケットデータに変換し、反対に、受け取ったパケットデータをＵＳＳＤフォーマットに変換する。
【００１２】
本願発明の１つの利点は、アプリケーションにより実現されたサービスを提供する者と事前に関係を築かずとも、移動端末のユーザは、アプリケーション（ＡＰ１−ＡＰ３）を通じて、商品を購入することができる。唯一必要なのは、移動無線ネットワークのオペレータとサービスプロバイダーとの間で関係が維持されることである。
【００１３】
さらなる利点は、商業上の詐欺行為のリスクが大いに減らされることである。移動無線ネットワークは、端末識別情報を保証するための強力な機能を持っている。端末識別情報は、買い手を識別するために、内部のパケットデータネットワークを通して用いられる。移動端末だけが、パケットデータネットワークと接続する能力をそなえているので、端末の識別情報が不当に操作されることはない。また、パケットデータネットワークを通して送られるクレジットカード番号は、未認証の読出し要求から保護される。なぜなら、ほんの１つのオペレータがこのネットワークをコントロールしているからであり、従って、読み出しに対して保証を与えることができる。
【００１４】
移動無線ネットワークにおいて、すでに、加入者／買い手の識別情報を確保するための現実の機能が実現されているので、発明に従ってシステムを実現することはコスト的に安く済む。その上、移動無線ネットワークのオペレータに内部のパケットデータネットワーク上のコントロールを与えることによって、汎用的で、より安価なパケットデータネットワークを使用できる。
【００１５】
今日の移動無線ネットワークは多くの加入者を抱え、従って、本願発明を適用可能なシステムは、すでに当初から大量の潜在的な顧客を抱えている。
【００１６】
本願発明は、好ましい実施形態の助けおよび添付図面の参照によって、より詳細に説明される。
【００１７】
［好ましい実施形態］
図１は電子商取引のためのシステムを示す。システムは ＧＳＭネットワークであるＧＳＭおよび内部のパケットデータネットワークであるＣＳＮを含み、これらにより電子的市場が形成される。図１のパケットデータネットワークＣＳＮは、３つのサーバコンピュータＳ１−Ｓ３、ルータＲ１及びこれらを結ぶ通信回線を含む。サーバコンピュータＳ１−Ｓ３のそれぞれには、商品を販売するためのアプリケーションＡＰ１−ＡＰ３が備えられている。１以上の商品が、アプリケーションＡＰ１−ＡＰ３を維持管理するサービスプロバイダーＳＰにより販売の申し出がなされる。
【００１８】
ＧＳＭネットワークＧＳＭは、第２のルータＲ２によってパケットデータネットワークＣＳＮの第１のルータＲ１へと中継されることによって、パケットデータネットワークＣＳＮと接続する。ＧＳＭネットワークＧＳＭは、交換装置であるＭＳＣも含み、ＭＳＣは、第２のルータＲ２、ホームロケーションレジスターＨＬＲ、および無線回線を経て少なくとも１つの移動端末ＭＳと接続している。この例において、移動端末ＭＳは、それぞれ相互に接続された伝統的な移動局とパーソナル・コンピュータを含む。
【００１９】
パケットデータネットワークＣＳＮとＧＳＭネットワークＧＳＭ以外に、システムは、課金データベースＢＧＷも含み、このＢＧＷは、第３のルータＲ３を経て内部のパケットデータネットワークＣＳＮと接続している。課金データベースＢＧＷ、ＧＳＭネットワークＧＳＭ、およびパケットデータネットワークＣＳＮは、アプリケーションＡＰ１−ＡＰ３を除き、オペレータによりコントロールされる。
【００２０】
アプリケーションＡＰ１−ＡＰ３は、ハイパーテキストを用いて販売の申し出を行う。移動端末ＭＳはＷＷＷブラウザが搭載されている。
【００２１】
移動端末ＭＳは、加入者ＳＢＳに所有され、使用される。端末ＭＳには、ＳＩＭカード、すなわち、加入者識別モジュール（ｓｕｂｓｃｒｉｂｅｒ ｉｄｅｎｔｉｔｙ ｍｏｄｕｌｅ）が備えられ、端末ＭＳの識別情報を記憶しており、その内容は、ＧＳＭネットワークＧＳＭに登録されているサブスクリプション（加入情報）と一致している。  端末ＭＳを起動させる（アイドルモードにする）ためには、加入者ＳＢＳがＰＩＮコードを入力することが必要である。端末ＭＳが起動されると、そのことが、ＧＳＭネットワークＧＳＭに信号で伝えられ、ＧＳＭネットワークＧＳＭは、端末ＭＳが起動されたこと及びその存在位置を登録する。この信号伝達のときに、端末ＭＳの識別情報は暗号化されたフォームでもって、無線回線を介して送られる。
【００２２】
端末ＭＳが登録される際に、ＧＳＭネットワークＧＳＭ内のルータＲ２へのコネクションは、加入者ＳＢＳの要求に応じて設定される。端末ＭＳは一時的なＩＰアドレスを割り当てられ、この一時的なＩＰアドレスは、交換装置ＭＳＣに接続されたアクセスデータベースＡＣＲに登録される。そして、加入者ＳＢＳは、端末ＭＳのＷＷＷブラウザを用いて、アプリケーションＡＰ１の中の第１のアプリケーションにハイパーテキストのページを要求する。この例において、アプリケーションＡＰ１は、旅行代理店であるサービスプロバイダーにより所有され、アプリケーションＡＰ１を通して旅行の手配について営業しているものとする。旅行手配につての情報およびその料金は、加入者ＳＢＳに提供されるハイパーテキストページによって提示することが可能である。加入者ＳＢＳは、情報を最初のアプリケーションＡＰ１に送り返すためのハイパーテキストリンクを使用して、提示された複数の旅行手配のうちから１つを購入する。加入者ＳＢＳが、ボタンを押すことまたはハイパーテキストページのテキスト入力ウィンドウに書き込むことによって、特定の固定価格で購入を希望する所定の旅行手配についての情報が送信される。ここでは、誰が旅行手配を購入するか（旅行を申し込むか）についての情報は、何一つない。この情報は、端末ＭＳの一時的なＩＰアドレスとともに第１のアプリケーションＡＰ１に送信される。
【００２３】
第１のアプリケーションAP1が、所定の購入を希望する加入者SBSから情報を受信すると、アプリケーションAP1は課金エントリーCDRを課金データベースBGWに送信する。この課金エントリーCDRには、商品の識別情報、価格、時刻情報、および一時的なIPアドレスが含まれ、課金データベースBGWに登録される。
【００２４】
交換装置MSCに接続されたアクセスデータベースACRにおいて、エントリーはバケットネットワークCSNへのセットアップ時に登録され、エントリーには、一時的なIPアドレス、端末識別番号、および一時的なIPアドレスを使用する時刻ポイントが含まれている。
【００２５】
ＧＳＭネットワークに関連して、ＧＳＭネットワークのすべての加入者の名前とアドレスを備える加入者データベースＳＢＲが存在する。加入者データベースＳＢＲは個別に設置されてもよいし、ＧＳＭネットワークの既存のノードの一部として構成されてもよい。以降の説明においては、ホームロケーションレジスターＨＬＲと加入者データベースＳＢＲが統合されて構成されるものと仮定する。
【００２６】
オペレータは、課金データベースＢＧＷ、アクセスデータベースＡＣＲ、および加入者データベースＳＢＲに対し、情報を規則的に渡し、課金データベースＢＧＷの課金エントリーＣＤＲを所定の加入情報と関連付け、買い手を識別する。アクセスデータベースＡＣＲから、ＩＭＳＩまたはＭＳＩＳＤＮという形で端末の識別情報が取得され、これらの端末識別情報に関連して、加入者ＳＢＳの名前と課金が加入者データベースＳＢＲから取得される。名前と住所は、サービスプロバイダー（このケースでは旅行代理店）に報告され、その後、オペレータに登録された住所にチケットが送付される。
【００２７】
加入者ＳＢＳは、ＧＳＭネットワークの加入情報に対する請求に基づいて、オペレータによって課金がなされる。オペレータは旅行代理店に旅行手配の料金を支払う。
【００２８】
上述の方法の有利な点は、すでにＧＳＭネットワークに組み込まれている識別情報をチェックする機能のおかげで、買い手／加入者ＳＢＳの識別情報を安全に確保できることである。
【００２９】
オペレータは内部のパケットデータネットワークＣＳＮをコントロールし、ＧＳＭネットワークの移動端末ＭＳだけに、パケットデータネットワークＣＳＮへの接続を許可する。この理由は、受信側のアプリケーションＡＰ１−ＡＰ３に報告される一時的なＩＰアドレスを不正操作することは、より難しいからである。アプリケーションＡＰ１−ＡＰ３は個々のサービスプロバイダーによりコントロールされる。しかし、パケットデータネットワークＣＳＮに対するアプリケーションＡＰ１−ＡＰ３の境界は、データの不正操作を防止するために、オペレータによってコントロールされる。端末ＭＳがアクティブのときに、交換装置ＭＳＣの在圏データベースＶＬＲは、加入者データをホームロケーションレジスターＨＬＲから取得する。有利な効果を奏する実施形態によると、パケットデータネットワークＣＳＮのアプリケーションＡＰ１−ＡＰ３を端末ＭＳが使用することを許可されるかどうかについての情報とともに、これらの加入者データが提供される。もし許可されないならば、交換装置ＭＳＣは、ＧＳＭネットワークのルータＲ２とのコネクションのセットアップを抑止する。これによって、アプリケーションＡＰ１−ＡＰ３の使用が防止される。
【００３０】
多数の交換装置ＭＳＣが備えられるＧＳＭネットワークにおいては、好ましくは、交換装置ＭＳＣのうちの１つが、パケットデータネットワークＣＳＮとのコネクションのためのに、第２のルータＲ２と接続する。ルータＲ２とのコネクションを有する交換装置ＭＳＣだけがアクセスデータベースＡＣＲを提供される。
【００３１】
これに代え、上述した課金データベースＢＧＷとアクセスデータベースＡＣＲに情報を転送した後において、所定の一時的なＩＰアドレスに対応するＩＭＳＩまたはＭＳＩＳＤＮを発見すべく、第１のアプリケーションＡＰ１が、アクセスデータベースＡＣＲに直接的な問い合わせをする。一時的なＩＰアドレスを参照することによって、第１のアプリケーションＡＰ１は、ＩＭＳＩまたはＭＳＩＳＤＮという形式で移動局の識別情報を通知される。その後、アプリケーションＡＰ１が課金ノードＢＧＷに購入を登録するときは、端末ＭＳの識別情報がＩＭＳＩまたはＭＳＩＳＤＮという形式で登録される。加入者ＳＢＳの名前とアドレスは、その後、加入者データベースＳＢＲから読み出される。
【００３２】
代わりに、図１に示されたアーキテクチャにおいて、ＧＳＭネットワークＧＳＭがＧＰＲＳサービス（一般パケットデータサービス）をサポートするように構成してもよい。ここで、ＧＰＲＳはパケットデータを配信するためのサービスである。ＧＰＲＳによると、端末は、固定のＩＰアドレスを備えている。加入者データベースＳＢＲは、端末（ＭＳ）のＩＰアドレスに関連して加入者データを見つけられうるように修正される。
【００３３】
図２に、電子商取引のための代替システムにおけるノードが示されている。図１に示されたシステムと同様に、このシステムは、課金ノードＢＧＷだけでなく、内部のパケットデータネットワークＣＳＮ及びＧＳＭネットワークＧＳＭを含む。図１のシステムに比べての違いは、ＧＳＭネットワーク内の端末ＭＳとアプリケーションＡＰ１との間の情報がＵＳＳＤサービスにより転送されることである。従って、端末ＭＳは、ＷＷＷブラウザを装備する必要はない。端末からのデータは、交換装置ＭＳＣ、ホームロケーションレジスターＨＬＲを経由してＵＳＳＤサービスにより／とともに、パケットデータネットワークＣＳＮと接続するＵＳＳＤゲートウェイＵＳＳＤ−ＧＷに送られる。ＵＳＳＤゲートウェイＵＳＳＤ−ＧＷにおいて、データは、インターネットプロトコルに適合させるために変換され、パケットデータネットワークの回線を経て受信側の第１のアプリケーションに転送される。第１のアプリケーションＡＰ１からの端末ＭＳへのデータ通信は、同じノードを通じて逆方向に実行される。ＵＳＳＤとインターネットプロトコルにより、第１のアプリケーションＡＰ１に転送される個々のデータパケットには、そのアドレスだけでなく、識別情報および端末ＭＳへの返信用アドレスが記述されている。端末の識別情報は、端末のＭＳＩＳＤＮ（移動機ＩＳＤＮ番号）または端末のＩＭＳＩ（国際移動電話加入者ＩＤ）によって記述される。
【００３４】
図１に比べての図２のさらなる違いは、第２の加入者データベースＳＣＲが第３のルータＲ３を経てパケットデータネットワークＣＳＮと接続していることである。第２の加入者データベースＳＣＲには、すべての加入者について、名前と住所とともに登録されたエントリーが存在する。加入者エントリーはＩＭＳＩまたはＭＳＩＳＤＮに関連付けて検索できる。第１のアプリケーションＡＰ１を所有する旅行代理店は、問い合わせを加入者データベースＳＣＲに送り、その後、買い手ＳＢＳの名前と住所についての情報を受け取る。この情報は商品の配送のために後で使用される。オペレータに電話料金の請求ともに課金を処理させる代わりに、旅行代理店自身が、名前と住所の手助けによって買い手ＳＢＳに課金できる。
【００３５】
前記第２の加入者データベースＳＣＲは、図１のアプリケーションによって、買い手ＳＢＳの識別情報を検索するために使用されてもよく、この場合は、ＧＰＲＳサービスとそこで使用される固定のＩＰアドレスが提供されることになる。このケースにおいて、加入者データベースＳＣＲは、加入者エントリーが、対応したＩＰアドレスの手助けによって検索されるように構成される。
【００３６】
オペレータの課金データベースＢＧＷを介して料金を請求することへの代案として、クレジットカード会社の口座番号が、買い手／加入者ＳＢＳを課金するために使用されてもよい。ホームロケーションレジスターＨＬＲにおいて、加入者は使用する権利を所有し、予め口座番号が登録されている。このケースの加入者が旅行手配を購入を要求する際は、加入者が、チケットの配達先の住所だけでなく彼のクレジットカード番号を提示する。アプリケーションは、その後、ＵＳＳＤゲートウェイを介してＨＬＲに対し、提示された口座番号が端末から使用できるものであるか否かをの問い合わせを送信する。端末ＭＳの識別情報は問い合わせに記述されている。もし記述されたクレジットカード番号が、ホームロケーションレジスターＨＬＲに事前に登録されているものの１つと一致しているならば、確認がアプリケーションＡＰ１に送り返されて、クレジットカード番号が使用できる。チケットは、その後、記述された住所に送られる。買い手／加入者ＳＢＳは、その後、クレジットカード番号を発行したクレジットカード会社を介し、予め知られた方法で課金される。
【００３７】
クレジットカード会社と加入者がこれを承認した後に、オペレータによりクレジットカード番号の登録がホームロケーションレジスターＨＬＲになされる。
【００３８】
買い手ＳＢＳと売り手が物理的に直接会って購入に合意する場合にも、本願発明のさらなる実施形態を使用することができる。売り手に現金を支払う代わりに、買い手は、自分の移動端末ＭＳから第２のアプリケーションＡＰ２と接続する。第２のアプリケーションＡＰ２は支払いサービスを提供する。上述した方法により、第２のアプリケーションＡＰ２の命令によって、課金データベースＢＧＷに購入が登録される。買い手は後で課金され、売り手にはクレジットカードによる購入と同様な方法によって代金が支払われる。売り手が商品を配達できるように、買い手は、購入が既に登録されていることを証明するレシートを見せなければならない。レシートが発行され、その正真さが以下の方法に従って売り手によりチェックされる。
【００３９】
端末ＭＳから、商品、価格および売り手の情報が、第２のアプリケーションＡＰ２に送られる。アプリケーションＡＰ２は、登録のために、時間ポイント（時刻）だけでなく、これらのデータと端末識別情報を課金ノードＢＧＷに送る。アプリケーションＡＰ２は、情報として登録されたものの少なくとも一部から選択されたいくつかの情報に基づいて、所定のアルゴリズムを使用して、レシートコードを発行する。レシートコードは端末ＭＳに送り返される。
【００４０】
売り手は、アルゴリズムと、アルゴリズムが作用するのに必要とされる知識にもアクセスできる。売り手はアプリケーションＡＰ２と同じ方法でコードをも引き出す。好ましくは、売り手はこの処理ためにコンピュータを使用する。
【００４１】
端末ＭＳにおいて取得されたレシートコードは売り手に提示され、もしそれが、売り手で取り出されたコードと一致するならば、売り手は、後払いによる購入として登録されていることを把握できる。売り手は、その後、商品を配達する。
【００４２】
レシートコードは例えば、バーコードによって端末上に表示されてもよい。バーコードはバーコードリーダを介して売り手により読み込まれ、売り手で生成されたコードとの比較のために、売り手のコンピュータに転送される。
【００４３】
図１に関連して上述された実施形態において、端末ＭＳのＷＷＷブラウザは、商品を注文するために使用され、課金ノードＢＧＷに購入が登録される。もちろん、この場合にも、図２に関連して説明された実施形態だけでなく、クレジットカードを課金のために使用できる。その上、図２に示されたシステムは、図１に関連して説明された機能と同じ機能を備えた課金ノードＢＧＷを具備してもよい。
【００４４】
より適切な単語が見つからないため、ここでは商品（ｍｅｒｃｈａｎｄｉｓｅ）という単語を用いたが、これは、支払いの代償として与えられる商品のすべてのタイプをいい、またサービスも含まれる。
【００４５】
本願発明は、もちろん  上述の説明および図面において示された実施形態に制限されることはなく、添付の請求の範囲内において修正が可能である。
【図面の簡単な説明】
【図１】本願発明に係るシステムのノードについての構成例を示す図である。
【図２】本願発明に係るシステムのノードについての他の構成例を示す図である。
【図１】
0003590588.tif 000002
【図２】
0003590588.tif 000003